【誤訳訂正書】
【提出日】平成27年10月20日(2015.10.20)
【誤訳訂正１】
【訂正対象書類名】明細書
【訂正対象項目名】００１９
【訂正方法】変更
【訂正の内容】
【００１９】
角張った部分：光学部品上の２つの予め画定された液体の接触線の位置を含むのに十分な前方湾曲レンズ又は後方湾曲レンズの片のいずれかの内面の幾何学的特色。角張った部分は、通常、内角よりも外角である。液体の観点から、角張った部分は、１８０°より大きい角度である。
【誤訳訂正２】
【訂正対象書類名】明細書
【訂正対象項目名】００５４
【訂正方法】変更
【訂正の内容】
【００５４】
本発明によると、導電性コーティング又は材料によって生理食塩水溶液５０３に印加される電位の変化は、メニスカス壁５０６に沿って液体メニスカス境界線５０５の位置を変更する。移動は、第１の角張った部分５０６−１と第２の角張った部分５０６−２との間で生じる。
【誤訳訂正３】
【訂正対象書類名】明細書
【訂正対象項目名】００５５
【訂正方法】変更
【訂正の内容】
【００５５】
好ましい実施形態では、液体メニスカス境界線５０５は、第１の規模の電位がレンズに印加されるとき、例えば、電圧及び電流が非屈折状態、つまり静止状態と相関するとき等、第１の角張った部分５０６−１にある、又はその付近にある。
【誤訳訂正４】
【訂正対象書類名】明細書
【訂正対象項目名】００６３
【訂正方法】変更
【訂正の内容】
【００６３】
一般に、油５０４が後方湾曲レンズ５０２に接触する場合、弓形液体メニスカスレンズ５００は機能しないと考えられ得る。したがって、好ましい実施形態では、メニスカス壁５０６は、その最も近い点で、第１の角張った部分５０６−１と後方湾曲レンズ５０２との間に５０マイクロメートルの最小隙間を持たせるように設計される。他の実施形態では、隙間が減少すると、レンズが機能しないリスクは増加するが、最小隙間は、５０マイクロメートル未満であり得る。更に他の実施形態では、隙間は、レンズが機能しないリスクを軽減するように増加され得るが、望ましくない可能性がある全体的なレンズの厚さも増加する。
【誤訳訂正５】
【訂正対象書類名】明細書
【訂正対象項目名】００６７
【訂正方法】変更
【訂正の内容】
【００６７】
液体メニスカス接触角において、角張った部分のうちの１つを越えて液体メニスカス境界線５０５を移動させる十分に大きい変化をもたらすには、印加電位の顕著な変化を必要とするため、角張った部分５０６−１及び５０６−２等の、メニスカス壁５０６の両端での不連続性は、液体メニスカス５０５の移動において境界線として機能する。非限定的な例として、いくつかの実施形態では、メニスカス壁５０６を有する液体メニスカス境界線５０５の接触角は、１５°〜４０°の範囲であり、一方、第２の角張った部分５０６−２を超えるステップ５０７を有する液体メニスカス境界線５０５の接触角は、おそらく、９０°〜１３０°の範囲であり、一部の好ましい実施形態では、約１１０°である。
【誤訳訂正６】
【訂正対象書類名】明細書
【訂正対象項目名】００６８
【訂正方法】変更
【訂正の内容】
【００６８】
レンズには電圧を印加してよく、その結果、液体メニスカス境界線５０５を、メニスカス壁５０６に沿って第２の角張った部分５０６−２方向に移動させる。液体メニスカス境界線５０５と絶縁体被覆されたメニスカス壁５０６との自然接触角は、顕著により大きい電圧が供給されない限り、液体メニスカス境界線５０５を第２の角張った部分５０６−２にとどまらせる。
【誤訳訂正７】
【訂正対象書類名】明細書
【訂正対象項目名】００６９
【訂正方法】変更
【訂正の内容】
【００６９】
メニスカス壁５０６の一端で、第１の角張った部分５０６−１は、一般に、液体メニスカス境界線５０５が典型的に超えて移動しない限度を１つ画定する。いくつかの実施形態では、第１の角張った部分５０６−１は、鋭い縁として構築される。他の好ましい実施形態では、第１の角張った部分５０６−１は、欠点の可能性があまりないように作製され得る画定された小さい半径方向の面を有する。導電性、絶縁体、及び他の可能な所望のコーティングは、鋭い縁上に均一かつ予測可能に堆積されない場合があり、一方、画定された半径方向の面の半径方向の縁は、より確実に被覆され得る。
【誤訳訂正８】
【訂正対象書類名】明細書
【訂正対象項目名】００７０
【訂正方法】変更
【訂正の内容】
【００７０】
いくつかの実施形態では、第１の角張った部分５０６−１は、約１０マイクロメートルの画定された半径を有する約９０°の角度で構築される。この角張った部分はまた、９０°未満の角度で作製されてもよい。いくつかの実施形態では、９０°より大きい角度の角張った部分は、角張った部分の頑丈さを増加するために使用され得るが、設計は、より大きいレンズ空間を取る。
【誤訳訂正９】
【訂正対象書類名】明細書
【訂正対象項目名】００７１
【訂正方法】変更
【訂正の内容】
【００７１】
様々な実施形態では、角張った部分５０６−１及び／又は５０６−２の画定された半径は、５マイクロメートル〜５０マイクロメートルの範囲であり得る。より大きい画定された半径は、コーティングの確実度を向上するが、レンズ設計の厳密な制約内でより大きい空間を使用するという代償を払って使用され得る。これにおいて、他の多くのレンズ設計の区域のように、構成の容易さ、レンズ機能の最適化、及び大きさの最小化の間で、トレードオフが存在する。機能的で、確実な弓形液体メニスカスレンズ５００は、広範な変動要素を使用して作製され得る。
【誤訳訂正１０】
【訂正対象書類名】明細書
【訂正対象項目名】００７２
【訂正方法】変更
【訂正の内容】
【００７２】
いくつかの実施形態では、より大きい角張った部分の半径は、２つの隣接する角張った部分間の側壁の改善された表面仕上げと共に使用され得る。いくつかの実施形態では、第１の半径（角張った部分）から第２の半径（角張った部分）までの表面が平滑であり、不連続部分が存在しないことが望ましく、同一のツールで角張った部分を成形するために用いられる成形型を切込むのに役立つ。角張った部分に含まれる半径は、成形ツールの表面への切込みであってよく、成形ツール表面の半径は、角張った部分の半径よりも大きい。成形ツール表面が１つ以上の角張った部分及び側壁を含む連続表面の場合、より大きいツール半径は、一般に、対応する切込みのより平滑な表面仕上げに関連する。
【誤訳訂正１１】
【訂正対象書類名】明細書
【訂正対象項目名】００７３
【訂正方法】変更
【訂正の内容】
【００７３】
第２の角張った部分５０６−２は、電圧が弓形液体メニスカスレンズ５００に印加されるとき、油の移動を制限するように設計された特色を含む。第２の角張った部分５０６−２はまた、いくつかの実施形態では、一般に尖った端部を含むこともできるか、あるいは他の実施形態では、第２の角張った部分５０６−２は、５〜２５マイクロメートル、最も好ましくは１０マイクロメートルの画定された半径を含むことができる。１０マイクロメートルの半径は、角張った部分として良好に機能し、単刃ダイヤモンド旋削旋盤又は射出成形プロセスを使用して作製され得る。
【誤訳訂正１２】
【訂正対象書類名】明細書
【訂正対象項目名】００７４
【訂正方法】変更
【訂正の内容】
【００７４】
前方湾曲レンズ５０１の光学区域５０８の開始部分まで延在する、垂直又はほぼ垂直のステップ５０７は、メニスカス壁５０６に対向する第２の角張った部分５０６−２の側に含まれてよい。いくつかの実施形態では、ステップ５０７は１２０マイクロメートルの高さであるが、５０〜２００マイクロメートルの範囲であってよい。
【誤訳訂正１３】
【訂正対象書類名】明細書
【訂正対象項目名】００７５
【訂正方法】変更
【訂正の内容】
【００７５】
いくつかの実施形態では、ステップ５０７は、光学軸から約５°の角度をなしてよい。他の実施形態では、ステップ５０７の角度は、１°若しくは２°程であるか、又は５°を超える角度であってもよい。メニスカス壁５０６からステップ５０７上に移動するには、液体メニスカス境界線５０５の接触角のより大きな変化を必要とするため、光学軸からより小さい角度をなすステップ５０７は、一般に、メニスカス移動のより効果的なリミッタとして機能する。ステップ５０７から光学区域５０８の開始部分への遷移は、２５マイクロメートルの半径である。より大きい半径は、レンズ設計内の空間を不必要により多く消費する。より小さい半径が可能であり、空間の増加が必要ならば、行われ得る。この区域並びにレンズの他の区域に理論的な角張った部分よりも画定された半径を使用するという決定は、一部、レンズ要素の射出成形プロセスへの潜在的な移行に基づく。ステップ５０７と光学区域５０８の開始部分との間の湾曲は、射出成形プロセス中の塑性流を向上させ、最適な強度及び応力対処特性を備えたレンズをもたらす。
【誤訳訂正１４】
【訂正対象書類名】明細書
【訂正対象項目名】００７６
【訂正方法】変更
【訂正の内容】
【００７６】
ここで図６Ａを参照すると、斜視図には、微小チャネルを備えるメニスカス壁６０１と、ステップ６０５と、光学ゾーン６０６とを含む前方湾曲レンズの一部分が示される。第１の角張った部分６０２及び第２の角張った部分６０３が示されており、これらの間には、微小チャネルを備えるメニスカス壁６０１が見出される。現在の実施形態では、微小チャネルを備えるメニスカス壁６０１は、一般に、円錐台の形状を形成し、その断面は、メニスカス壁が線形であることを示す。線形メニスカス壁を含むレンズの例は、２０１０年６月２９日出願の米国特許出願公開第６１，３５９，５４８号、表題「ＬＥＮＳ  ＷＩＴＨ  ＣＯＮＩＣＡＬ  ＦＲＵＳＴＵＭ  ＭＥＮＩＳＣＵＳ  ＷＡＬＬ」に記載されており、参照することにより本明細書に援用する。いくつかの実施形態では、微小チャネルメニスカス壁の設計は、非限定的な例として、凸状トーラスセグメントのメニスカス壁、凹状トーラスセグメントのメニスカス壁、線形−凸状複合メニスカス壁、多凸状メニスカス壁、多凹状メニスカス壁、及び多セグメントの線形メニスカス壁等の様々な形状のメニスカス壁上に含まれてよい。
【誤訳訂正１５】
【訂正対象書類名】明細書
【訂正対象項目名】００７７
【訂正方法】変更
【訂正の内容】
【００７７】
ここで図６Ｂを参照すると、微小チャネルを備えるメニスカス壁６０１の一部の詳細図が示され、２つの微小チャネル６０４が含まれている。いくつかの実施形態では、各微小チャネル６０４の一方の端部は第１の角張った部分６０２の付近にあるが、この角張った部分を横切ってはいない。それに対して、各微小チャネル６０４のもう一方の端部は、第２の角張った部分６０３を越え、前方湾曲レンズの光学区域６０６方向にステップ６０５の途中まで延在する。本発明によると、微小チャネル６０４の側面と隣接するメニスカス壁６０１の区域との間の境界は、一般に角張った端部である。他の実施形態では、メニスカス壁６０１と微小チャネル６０４との間の縁部は、画定された半径を含んでよい。